(57)【要約】【課題】給湯配管システムにおいて、コスト削減を図りつつ、端末器具の同時使用時における湯待ち時間の短縮化を図る。【解決手段】給湯配管システムＡは、給湯器１に接続される第１メイン配管２と、第１メイン配管２にチーズ１０を介して接続される第２メイン配管４ａと、第１メイン配管２にチーズ１０を介して接続され、浴槽の水栓６ａが接続される第１分岐配管３と、第２メイン配管４ａにチーズ１１を介して接続され、洗面所の水栓６ｂが接続される第２分岐配管５ａと、を備える。第１分岐配管３の長さＹａは、第２分岐配管５ａの長さＹｂよりも長い。第１分岐配管３は、チーズ１０に接続された基端部３ａと、基端部３ａから曲がった曲がり部３ｃと、曲がり部３ｃと浴槽の水栓６ａとをつなぐ先端部３ｂとを有する。基端部３ａの長さＺａは、先端部３ｂの長さＺｂよりも短い。【選択図】図１
2011144603.tif 000002
【特許請求の範囲】
【請求項１】
床下空間部に配設される給湯配管システムであって、
給湯源に接続される第１メイン配管と、
前記第１メイン配管に第１分岐継手を介して接続される第２メイン配管と、
前記第１メイン配管に前記第１分岐継手を介して接続され、第１端末器具が接続される第１分岐配管と、
前記第２メイン配管に第２分岐継手を介して接続され、第２端末器具が接続される第２分岐配管と、を備え、
前記第１分岐配管の長さは、前記第２分岐配管の長さよりも長く、
前記第１分岐配管は、前記第１分岐継手に接続された基端部と、前記基端部から曲がった曲がり部と、前記曲がり部と前記第１端末器具とをつなぐ先端部とを有し、前記基端部の長さが前記先端部の長さよりも短い、給湯配管システム。
【請求項２】
前記第１端末器具の必要給湯量は、前記第２端末器具の必要給湯量よりも多い、請求項１記載の給湯配管システム。
【請求項３】
前記第１端末器具の必要給湯温度は、前記第２端末器具の必要給湯温度よりも高い、請求項１又は２記載の給湯配管システム。
【請求項４】
前記第１端末器具は浴槽の水栓である、請求項１〜３のいずれか一つに記載の給湯配管システム。
【請求項５】
前記第１分岐配管の前記先端部の少なくとも一部と前記第２メイン配管とは、略平行に配置されている、請求項１〜４のいずれか一つに記載の給湯配管システム。
【請求項６】
前記第１分岐配管は、途中で分岐することなく前記第１分岐継手と前記第１端末器具とを接続する、請求項１〜５のいずれか一つに記載の給湯配管システム。
【発明の詳細な説明】
【技術分野】
【０００１】
本発明は、例えば家屋の床下空間部等に配設され、給湯源から複数の端末器具に対して湯水を供給する給湯配管システムに関するものである。
【背景技術】
【０００２】
従来、この種の給湯配管システムとして、いわゆる先分岐工法による配管システムと、ヘッダー工法による配管システムとが知られている。
【０００３】
先分岐工法による配管システムは、複数の端末器具が、給湯源に接続されたメイン配管に対し、分岐配管を介してそれぞれ異なる位置で接続されたシステムである（特許文献１参照）。すなわち、先分岐工法による配管システムでは、給湯源に接続されたメイン配管は、湯水の流れ方向に沿って順次、複数の分岐継手（例えば、Ｔ字型分岐継手等）により分岐され、各分岐継手には分岐配管を介して端末器具が接続される。従来の先分岐工法による配管システムでは、給湯源から近い位置にある端末器具は、メイン配管の給湯源に近い部分から分岐された分岐配管に接続され、給湯源から遠い位置にある端末器具は、メイン配管の給湯源から遠い部分から分岐された分岐配管に接続される。
【０００４】
一方、ヘッダー工法による配管システムは、給湯源に接続されたメイン配管が、ヘッダーを介して一斉に分岐されたシステムである。ヘッダー工法による配管システムでは、給湯源に接続されたメイン配管はヘッダーに接続され、そのヘッダーには各分岐配管を介して各端末器具が接続される。
【先行技術文献】
【特許文献】
【０００５】
【特許文献１】特開２００７−２９１７３５号公報
【発明の概要】
【発明が解決しようとする課題】
【０００６】
しかしながら、先分岐工法により構成された給湯配管システムでは、メイン配管が分岐継手を介して複数箇所で順次分岐されるために、次のような問題があった。すなわち、複数の端末器具を同時に使用した場合、一部の端末器具、特に給湯源から遠く離れた端末器具において、湯待ち時間が長くなるという問題があった。
【０００７】
一方、ヘッダー工法による配管システムによれば、このような不都合は生じにくい。しかし、ヘッダー工法による配管システムでは、端末器具とヘッダーとが遠く離れていた場合、端末器具とヘッダーとを比較的長い分岐配管を介して接続しなければならない。そのため、配管システム全体の配管の総延長が長くなり、コストアップを招きやすいという問題がある。
【０００８】
本発明は、かかる点に鑑みてなされたものであり、その目的とするところは、給湯配管システムにおいて、コスト削減を図りつつ、端末器具の同時使用時における湯待ち時間の短縮化を図ることにある。
【課題を解決するための手段】
【０００９】
本発明に係る給湯配管システムは、床下空間部に配設される給湯配管システムであって、給湯源に接続される第１メイン配管と、前記第１メイン配管に第１分岐継手を介して接続される第２メイン配管と、前記第１メイン配管に前記第１分岐継手を介して接続され、第１端末器具が接続される第１分岐配管と、前記第２メイン配管に第２分岐継手を介して接続され、第２端末器具が接続される第２分岐配管と、を備え、前記第１分岐配管の長さは、前記第２分岐配管の長さよりも長く、前記第１分岐配管は、前記第１分岐継手に接続された基端部と、前記基端部から曲がった曲がり部と、前記曲がり部と前記第１端末器具とをつなぐ先端部とを有し、前記基端部の長さが前記先端部の長さよりも短いものである。
【００１０】
上記給湯配管システムによれば、第１分岐配管は第２分岐配管よりも長い。また、第１分岐配管は、基端部よりも長い先端部を有しており、メイン配管から遠く離れた端末器具に湯水を供給可能なものである。そのため、何らの工夫も施さなければ、第１分岐配管に接続された第１端末器具は、第２分岐配管に接続された第２端末器具よりも湯待ち時間が長くなりやすい。しかし、上記給湯配管システムによれば、第１分岐配管は、第２分岐配管よりもメイン配管（すなわち、第１メイン配管及び第２メイン配管）の給湯源側で先に分岐されている。そのため、第１分岐配管に供給される湯水は、第２分岐配管に供給される湯水の影響を受けにくい。一方、第２分岐配管に供給される湯水は第１分岐配管に供給される湯水の影響を受けやすくなるが、第２分岐配管は第１分岐配管よりも短い。したがって、第１端末器具及び第２端末器具を同時使用しても、第１端末器具において、湯待ち時間を短くでき、第２端末器具においても湯待ち時間が長くなることを抑えることができる。さらに、上記給湯配管システムによれば、第１分岐配管は比較的長いものの、他の分岐配管の長さを短く抑えることができる。そのため、ヘッダー工法による配管システムに比べて、配管の総延長を短く抑えることができる。したがって、コストの削減を図ることができる。
【００１１】
なお、本発明にいう「床下空間部」は、家屋の１階の床下のみならず、階上における床下に形成される空間をも含む広い概念である。また、「メイン配管」とは、給湯源に直接又は間接的に接続される配管であって、且つ端末器具（水栓等）に直接接続されない配管を意味する。「分岐配管」とは、メイン配管と端末器具とを接続する一部又は全部の配管を意味する。
【００１２】
前記第１端末器具の必要給湯量は、前記第２端末器具の必要給湯量よりも多くてもよい。また、前記第１端末器具の必要給湯温度は、前記第２端末器具の必要給湯温度よりも高くてもよい。
【００１３】
必要給湯量の多い端末器具、又は必要給湯温度の高い端末器具では、湯待ち時間が長くなりやすい。しかし、上記給湯配管システムによれば、第１分岐配管に供給される湯水は第２分岐配管に供給される湯水の影響を受けにくい。そのため、湯待ち時間が長くなりやすい傾向にある第１端末器具において、湯待ち時間の短縮化を図ることができる。
【００１４】
前記第１端末器具は浴槽の水栓であってもよい。
【００１５】
これにより、浴槽の水栓が給湯源から離れた位置にあったとしても、浴槽の水栓における湯待ち時間を短くすることができる。
【００１６】
前記第１分岐配管の前記先端部の少なくとも一部と前記第２メイン配管とは、略平行に配置されていてもよい。
【００１７】
これにより、配管施工時における作業性が向上する。また、施工後における保守管理も容易に行うことが可能になる。
【００１８】
前記第１分岐配管は、途中で分岐することなく前記第１分岐継手と前記第１端末器具とを接続することが好ましい。
【００１９】
これにより、第１端末器具における湯待ち時間をさらに短縮させることができる。
【発明の効果】
【００２０】
本発明によれば、給湯配管システムにおいて、コスト削減を図りつつ、端末器具の同時使用時における湯待ち時間の短縮化を図ることができる。
【図面の簡単な説明】
【００２１】
【図１】本発明に係る給湯配管システムの一実施形態を示す平面図である。
【図２】三層管の横断面図である。
【発明を実施するための最良の形態】
【００２２】
以下、図面を参照しながら、本発明に係る給湯配管システムの一実施形態を説明する。
【００２３】
図１において、給湯配管システムＡは実線で示され、給水配管システムＢは破線で示されている。給湯配管システムＡは、先分岐工法により施工されている。先分岐工法は、メイン配管から分岐した各分岐配管に端末器具を接続する手法である。給水配管システムＢは、ヘッダー工法により施工されている。ヘッダー工法は、メイン配管からヘッダーを介して蛸足状に分岐した各分岐配管に、端末器具を接続する手法である。これらの各配管システムＡ，Ｂは、家屋の床下空間部Ｃに配設される。
【００２４】
給湯システムは、屋内の壁面等に取付けられる給湯源としての給湯器１と、端末器具６ａ，６ｂ，６ｃと、給湯器１から各端末器具６ａ，６ｂ，６ｃに湯水を供給する給湯配管システムＡとによって構成されている。
【００２５】
本実施形態に係る給湯配管システムＡは、給湯器１に接続される第１メイン配管２と、第１メイン配管２にＴ字型分岐継手（以下「チーズ」という）１０を介して接続された第２メイン配管４ａと、第２メイン配管４ａにチーズ１１を介して接続された第３メイン配管４ｂとを備えている。これら第１メイン配管２、第２メイン配管４ａ及び第３メイン配管４ｂにより、メイン配管３０が形成されている。
【００２６】
また、給湯配管システムＡは、チーズ１０に接続された第１分岐配管３と、チーズ１１に接続された第２分岐配管５ａと、エルボ１２を介して第３メイン配管４ｂに接続された第３分岐配管５ｂとを備えている。言い換えると、第１分岐配管３は、チーズ１０を介してメイン配管３０から分岐している。第２分岐配管５ａは、チーズ１１を介してメイン配管３０から分岐している。第３分岐配管５ｂは、エルボ１２を介してメイン配管３０から分岐している。
【００２７】
第１分岐配管３には、浴槽の水栓６ａが接続されている。第２分岐配管５ａには、洗面所の水栓６ｂが接続されている。第３分岐配管５ｂには、台所の水栓６ｃが接続されている。なお、一般に、浴槽は洗面所や台所よりも必要給湯量が多く、また必要給湯温度も高い。
【００２８】
給湯配管システムＡでは、第１分岐配管３は第２分岐配管５ａよりも給湯器１側で分岐されている。すなわち、給湯器１からメイン配管３０における第１分岐配管３の分岐箇所までの長さ、つまり給湯器１からチーズ１０までの長さをＸａとし、給湯器１からメイン配管３０における第２分岐配管５ａの分岐箇所までの長さ、つまり給湯器１からチーズ１１までの長さをＸｂとすると、Ｘａ＜Ｘｂとなっている。
【００２９】
また、第１分岐配管３は、第２分岐配管５ａ及び第３分岐配管５ｂのいずれよりも長くなっている。すなわち、第１分岐配管３の長さ、つまりチーズ１０から浴槽の水栓６ａまでの長さをＹａとし、第２分岐配管５ａの長さ、つまりチーズ１１から洗面所の水栓６ｂまでの長さをＹｂとし、第３分岐配管５ｂの長さ、つまりエルボ１２から台所の水栓６ｃまでの長さをＹｃとすると、Ｙａ＞Ｙｂ、Ｙａ＞Ｙｃとなっている。本実施形態では、第１分岐配管３は、給湯配管システムＡにおいて最も長い分岐配管となっている。ただし、第１分岐配管３は、第２分岐配管５ａ及び第３分岐配管５ｂのいずれか一方よりも長ければよい。
【００３０】
第１分岐配管３は、チーズ１０に接続された基端部３ａと、基端部３ａから曲がった曲がり部３ｃと、曲がり部３ｃと浴槽の水栓６ａとをつなぐ先端部３ｂとを備えている。曲がり部３ｃの形状は特に限定されないが、本実施形態では、曲がり部３ｃは略直角に湾曲又は折曲形成されている。先端部３ｂは更に略直角に曲がっている。先端部３ｂの一部とメイン配管３０とが隣り合うように、基端部３ａは比較的短く形成されている。基端部３ａの長さ、すなわちチーズ１０から曲がり部３ｃまでの長さをＺａとし、先端部３ｂの長さ、すなわち曲がり部３ｃから浴槽の水栓６ａまでの長さをＺｂとすると、Ｚａ＜Ｚｂとなっている。これにより、第１分岐配管３の一部とメイン配管３０とを略平行に接近させて配置することができ、配管施工時における作業性が向上するばかりではなく、施工後における保守管理も容易となる。
【００３１】
本実施形態におけるメイン配管３０（すなわち、第１メイン配管２、第２メイン配管４ａ及び第３メイン配管４ｂ）と第１分岐配管３とは、図２に示すような三層管からなっている。この三層管は、アルミニウム等の金属補強層１３と、その内外に接着される合成樹脂層１４とを備えている。ただし、メイン配管３０と第１分岐配管３とは、上記三層管に限られない。メイン配管３０及び第１分岐配管３は、金属補強層を有する多層管が好ましいが、特に限定される訳ではない。一方、第２分岐配管５ａ及び第３分岐配管５ｂは、架橋ポリエチレンやポリブテン製等の合成樹脂管からなっている。第２分岐配管５ａ及び第３分岐配管５ｂは、単層管である。
【００３２】
ところで、金属補強層１３で補強された三層管は合成樹脂管と比較すると、最小曲げ半径が小さいために、エルボ等の継手を用いなくても、いわゆる小回り配管を行うことが可能になる。これにより、継手の個数を抑えつつ、配管スペースの低減化を図ることができる。本実施形態では、第１分岐配管３を上記三層管で構成している。そのため、第１分岐配管３において、継手を用いなくても小回り配管が可能となっている。
【００３３】
第２分岐配管５ａ及び第３分岐配管５ｂは、それらの先端を立ち上げて床板に固定されるものである。合成樹脂管は三層管と比較すると、可撓性が大きい。そのため、狭くて暗い状況下にある床下空間部Ｃでの立ち上げ作業も容易に行うことができる。
【００３４】
ただし、これら各配管の具体的な構成は、決してこれに限定されるものではなく、任意に変更することが可能である。例えば、メイン配管３０を合成樹脂管で構成してもよい。また、第１分岐配管３を合成樹脂管で構成してもよい。第１分岐配管３に継手を設けてもよい。第２分岐配管５ａ又は第３分岐配管５ｂを三層管で構成してもよい。
【００３５】
次に、給水配管システムＢについて説明する。給水配管システムＢは、給水源２０に接続される給水メイン配管２１と、給水メイン配管２１にヘッダー２２を介して分岐される複数の給水分岐配管２３ａ〜２３ｄとを備えている。給水分岐配管２３ａ〜２３ｄには、浴槽の水栓６ａ、洗面所の水栓６ｂ、台所の水栓６ｃ、トイレの水栓６ｄがそれぞれ接続されている。給水メイン配管２１は三層管からなり、各給水分岐配管２３ａ〜２３ｄは合成樹脂管からなっている。
【００３６】
以上のように、本実施形態に係る給湯配管システムＡによれば、第１分岐配管３は、基端部３ａと曲がり部３ｃと先端部３ｂとを有しており、第２分岐配管５ａ及び第３分岐配管５ｂのいずれよりも長いが、第１分岐配管３は、第２分岐配管５ａ及び第３分岐配管５ｂよりもメイン配管３０の給湯器１側で分岐されている。そのため、第１分岐配管３の湯水が第２分岐配管５ａ及び第３分岐配管５ｂの湯水から受ける影響を低減させることができる。これにより、浴槽の水栓６ａと共に他の水栓６ｂ、６ｃを同時に使用した場合であっても、第１分岐配管３には、ある程度の湯水が供給されることになる。また、第１分岐配管３における流量変動も抑えられる。したがって、浴槽の水栓６ａにおける湯待ち時間を短く抑えることが可能となる。一方、洗面所の水栓６ｂ、台所の水栓６ｃは、第１分岐配管３よりも短い第２分岐配管５ａ、第３分岐配管５ｂにそれぞれ接続されている。そのため、洗面所の水栓６ｂ及び台所の水栓６ｃにおいても、湯待ち時間が長くなりすぎることはない。したがって、本実施形態によれば、いずれの端末器具においても、湯待ち時間が長くなりすぎることを抑制することができる。
【００３７】
また、本実施形態によれば、第１分岐配管３は、途中で分岐することなく、チーズ１０を介してメイン配管３０と浴槽の水栓６ａとをつないでいる。したがって、浴槽の水栓６ａにおける湯待ち時間をより一層短く抑えることができる。
【００３８】
また、この給湯配管システムＡは、先分岐工法による配管システムである。すなわち、端末器具６ａ，６ｂ，６ｃに湯水を供給する分岐配管３，５ａ，５ｂが、メイン配管３０に対して順次接続されたものである。そのため、ヘッダー工法による配管システムと異なり、使用する配管の量を減らすことができ、総コストの低減を図ることができる。
【００３９】
本実施形態では、第１分岐配管３に接続される端末器具として、浴槽の水栓６ａを選択することとした。浴槽の水栓６ａは、洗面所の水栓６ｂや台所の水栓６ｃと比較して、必要給湯量が多く、且つ、必要給湯温度が高い。すなわち、湯待ち時間が長くなりやすい端末器具である。ところが本実施形態では、上述の通り、第１分岐配管３に接続される端末器具の湯待ち時間を効果的に短縮させることができる。したがって、浴槽の水栓６ａにおける湯待ち時間を効果的に短縮させることが可能となる。
【００４０】
また、本実施形態では、第１分岐配管３の一部とメイン配管３０とは、略平行に配置されている。そのため、配管施工時のおける作業性の向上と、施工後における保守管理の容易化とを図ることができる。また、第１分岐配管３の一部とメイン配管３０とが略平行に配置されるので、それらを近接して配置することができる。したがって、配管スペースを低減させることができる。
【００４１】
なお、上記実施形態においては、必要給湯量が多く、且つ必要給湯温度が高い端末器具６ａを第１分岐配管３に接続するようにしたが、本発明は決してこれに限定されるものではない。
【００４２】
また、上記実施形態では、メイン配管３０から３本の分岐配管３，５ａ，５ｂを分岐させたが、分岐配管の本数は３本に限定される訳ではなく、２本又は４本以上であってもよい。
【００４３】
上記給水配管システムＢは、ヘッダー工法により構成されていたが、従来の先分岐工法又は上記給湯配管システムＡと同様の先分岐工法により構成されていてもよい。
【００４４】
上記実施形態では、第１分岐配管３の一部とメイン配管３０とは、平行に配置されていた。ただし、第１分岐配管３の上記一部とメイン配管３０とは、必ずしも平行に配置されていなくてもよい。
【００４５】
上記実施形態では、第１分岐配管３の他の一部と第２分岐配管５ａと第３分岐配管５ｂとは、互いに平行に配置されている。ただし、それらは必ずしも平行に配置されていなくてもよい。
【符号の説明】
【００４６】
１                給湯器（給湯源）
２                第１メイン配管
３                第１分岐配管
３ａ              第１分岐配管の基端部
３ｂ              第１分岐配管の先端部
３ｃ              第１分岐配管の曲がり部
４ａ              第２メイン配管
５ａ              第２分岐配管
６ａ              浴槽の水栓（第１端末器具）
６ｂ              洗面所の水栓（第２端末器具）
１０              チーズ（第１分岐継手）
１１              チーズ（第２分岐継手）
３０              メイン配管
Ａ                給湯配管システム
Ｃ                床下空間部
【図１】
2011144603.tif 000003
【図２】
2011144603.tif 000004